【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】  少なくとも１つの入出力モジュールを有する工業制御システムに含まれた情報及びデータに対して通信ネットワークを介して遠方サイトでのユーザ・アクセスを可能にする制御システムであって、
前記通信ネットワークに前記遠方サイトを結合しかつ前記通信ネットワークと対話するウェブ・ブラウザを含む手段と、
前記工業制御システムに関連しかつ前記通信ネットワークを介してアクセス可能なウェブ・サイトと、
該ウェブ・サイトに前記工業制御システムをリンクしかつ前記通信ネットワークに前記少なくとも１つの入出力モジュールを結合するインターフェース・モジュールを含む手段と、
前記少なくとも１つの入出力モジュールに前記インターフェース・モジュールを結合しかつ前記インターフェース・モジュールと前記少なくとも１つの入出力モジュールとの間でデータを転送する手段と、
前記通信ネットワークを介して前記遠方位置から受信されたデータ要求を処理する手段と、
前記遠方位置と前記工業制御システムとの間でデータ転送を可能にする手段と、
少なくとも１つの入出力モジュールとプロトコル・タスクをインターフェースする手段であって、前記可能にする手段からデータ要求を受け取り、前記要求されたデータのために前記工業制御システムをアクセスし、かつ、前記可能にする手段を介して前記遠方位置に応答を送出する手段であって、フレームワークの前記応答が、少なくとも１つの入出力モジュールに配置されたオペレーティング・システムによって供給される手段と、
を含む制御システム。
【請求項２】  前記通信ネットワークが、インターネット・プロトコル（ＩＰ）を用いたインターネットとして知られたワールド・ワイド・ネットワークである請求項１記載の制御システム。
【請求項３】  前記インターフェース・モジュールが前記インターネット上のウェブ・サイトとして機能し、前記インターフェース・モジュールがグローバルＩＰアドレスを含む請求項２記載の制御システム。
【請求項４】  前記インターフェース・モジュール手段が前記インターネット上で前記ウェブ・ブラウザからデータ要求を受信しかつ前記ウェブ・ブラウザに応答を返送するネットワーク・ドライバを含む請求項３記載の制御システム。
【請求項５】  前記データ要求を処理する手段が前記通信ネットワークから受信された要求を開始するクライアント・タスクと、前記通信ネットワークから受信されたデータ要求を処理するサーバ・タスクとを含む請求項４記載の制御システム。
【請求項６】  前記データ転送を可能にする手段が送信制御プロトコル（ＴＣＰ）スタックを用いたプロトコル・スタックを含む請求項５記載の制御システム。
【請求項７】  前記プロトコル・タスクをインターフェースする手段がハイパーテキスト転送プロトコル（ＨＴＴＰ）を用いて前記ネットワーク結合手段にハイパーテキスト・ドキュメントを送るサーバ・タスクを含む請求項６記載の制御システム。
【請求項８】  前記フレームワークがＨＴＴＰタスクを作成し、コネクションを受け入れ、ＨＴＴＰ要求を調べ、前記オペレーティング・システムを呼び出して前記要求を処理する請求項７記載の制御システム。
【請求項９】  前記データ要求が遠方位置のユーザが前記ブラウザから前記工業制御システム内のデータを閲覧することを可能にし、前記データが前記工業制御システムに関連するメモリに記憶された任意のプログラム情報を含む請求項８記載の制御システム。
【請求項１０】  前記データ要求が遠方位置のユーザが前記ブラウザから前記工業制御システム内にデータを書き込むことを可能にし、前記データが前記工業制御システムに関連するメモリに記憶された任意のプログラム情報を含む請求項８記載の制御システム。
【請求項１１】  前記データ要求が前記制御システムに結合された前記少なくとも１つの入出力モジュールの構成ビュー及びステータスに対する要求をさらに含む請求項９記載の制御システム。
【請求項１２】  前記データ要求が前記制御システムに結合された前記少なくとも１つの入出力モジュールの構成ビュー及びステータスに対する要求をさらに含む請求項１０記載の制御システム。
【請求項１３】  前記データ要求が前記遠方位置のユーザが前記入出力モジュールに関連されたメモリに記憶されている任意のプログラム情報を閲覧することを可能にする請求項１１記載の制御システム。
【請求項１４】  前記データ要求が前記遠方位置のユーザが前記入出力モジュールに関連されたメモリに記憶されている任意のプログラム情報を閲覧することを可能にする請求項１２記載の制御システム。
【請求項１５】  遠方位置でブラウザを用いて通信ネットワークから入出力装置へのアクセスを可能にする制御システムであって、
インターフェース・モジュールであって、マイクロプロセッサと、前記通信ネットワークに前記インターフェース・モジュールを結合するネットワーク・インターフェースとを有するインターフェース・モジュールと、
前記入出力装置に前記インターフェース・モジュールを結合しかつ前記インターフェース・モジュールと前記入出力装置との間でデータを転送するドライバと、
前記遠方位置と前記入出力装置との間でデータ転送を可能にするプロトコル・スタックと、
前記通信ネットワークから受信されたデータ要求を処理し、前記要求されたデータのために前記入出力装置にアクセスする前記プロトコル・スタックからのデータ要求をインターフェースし、かつ、前記プロトコル・スタック及びネットワーク・インターフェースを介して前記遠方位置に応答を送出するサーバ・タスクであって、１フレームワークの応答がオペレーティング・システムによって供給されるサーバ・タスクと、
を含む制御システム。
【請求項１６】  前記通信ネットワークがインターネット・プロトコル（ＩＰ）を用いた前記インターネットとして知られたワールド・ワイド・ネットワークである請求項１５記載の制御システム。
【請求項１７】  前記インターフェース・モジュールが前記インターネット上のウェブ・サイトとして機能する請求項１６記載の制御システム。
【請求項１８】  前記プロトコル・スタックが送信制御プロトコル（ＴＣＰ）／ＩＰスタックである請求項１７記載の制御システム。
【請求項１９】  前記サーバ・タスクがハイパーテキスト転送プロトコル（ＨＴＴＰ）を用いてハイパーテキスト・ドキュメントとＨＴＴＰタスクを作成するフレームワークとを送り、コネクションを受け入れ、前記オペレーティング・システムを呼び出して前記要求を処理する請求項１８記載の制御システム。
【請求項２０】  前記データ要求は、前記遠方位置のユーザが前記入出力装置内のデータを閲覧することを可能にする請求項１９記載の制御システム。
【請求項２１】  前記データ要求は、前記遠方位置のユーザが前記入出力装置内にデータを書き込むことを可能にする請求項１９記載の制御システム。
【請求項２２】  前記データ要求は、前記入出力装置構成及びステータスの閲覧をさらに含む請求項２０記載の制御システム。
【請求項２３】  前記データ要求は、前記遠方位置のユーザが前記入出力装置に関連した前記メモリに記憶されているデータ及び任意のプログラム情報を閲覧することを可能にする請求項２２記載の制御システム。
【請求項２４】  前記データ要求は、前記遠方位置のユーザが前記入出力装置に関連した前記メモリにデータ及び任意のプログラム情報を書き込むことを可能にする請求項２１記載の制御システム。